(57)【要約】【課題】フリッカ等のノイズの発生を抑制しつつディザ処理に相当する階調変換を実現して、少ないサブフィールド数で多階調表示を実現する。【解決手段】プラズマディスプレイ装置は、隣接する２画素間について所定の輝度変化を検出する輝度変化検出回路１２と、入力画素データと選択すべきサブフィールドとを対応付けて記憶したＬＵＴ１３Ａ〜１３Ｄと、選択すべきＬＵＴを指定する４種類の指定情報を入力画像の各画素に対応して配置した制御パターンを生成し、入力画像の処理対象の画素データが制御パターン上のどの位置に対応するかを判別し、判別した位置の指定情報で指定されるＬＵＴを選択するシーケンス制御回路１４とを有する。ＬＵＴ１３Ａ〜１３Ｄをそれぞれ複数個のサブテーブルから構成し、通常時は第１のサブテーブルを選択し、輝度変化検出時は第２のサブテーブルを選択する。【選択図】  図１
2005266224.tif 000002
【特許請求の範囲】
【請求項１】
プラズマディスプレイパネルの１フィールド期間を、発光期間がそれぞれ重み付けされた複数のサブフィールドに分割し、入力画素データと選択すべきサブフィールドを表す画素駆動データとを対応付けたルックアップテーブル（ＬＵＴ）により、前記複数のサブフィールドの中から入力画像の画素データに応じたサブフィールドを画素毎に選択して、選択したサブフィールドの重み付けに対応した期間だけプラズマディスプレイパネルのセルを発光させることにより多階調表示を行うプラズマディスプレイパネルの表示方法において、
入力画像において処理対象の画素を含む水平方向に隣接する２画素間について所定の輝度変化を検出すると同時に、前記処理対象の画素を含む垂直方向に隣接する２画素間について所定の輝度変化を検出する輝度変化検出手順と、
予め用意された２n （ｎは２以上の整数）個の前記ＬＵＴの中から選択すべきＬＵＴを指定する２n 種類の指定情報を前記入力画像の各画素に対応してマトリクス状に配置した制御パターンを生成する制御パターン生成手順と、
前記入力画像の処理対象の画素データに対応する画素駆動データを読み出して出力することを前記２n 個のＬＵＴの各々において行う変換手順と、
前記処理対象の画素データが前記制御パターン上のどの位置に対応するかを判別し、判別した位置の指定情報で指定されるＬＵＴを選択するシーケンス制御手順と、
前記選択されたＬＵＴの画素駆動データに応じて前記処理対象の画素データに対応する前記プラズマディスプレイパネルのセルを発光させる発光制御手順とを有し、
前記２n 個のＬＵＴは、それぞれ入力画素データに対応するサブフィールドの構成が異なる複数個のサブテーブルから構成されるものであり、
前記シーケンス制御手順は、前記選択したＬＵＴのうち、通常時は第１のサブテーブルの画素駆動データを選択し、前記輝度変化検出手順で輝度変化が検出された時は前記第１のサブテーブルと異なる第２のサブテーブルの画素駆動データを選択することを特徴とするプラズマディスプレイパネルの表示方法。
【請求項２】
請求項１記載のプラズマディスプレイパネルの表示方法において、
前記制御パターン生成手順で生成される制御パターンは、前記通常時に使用される制御パターンと前記輝度変化検出時に使用される制御パターンの２種類からなり、
前記通常時に使用される制御パターンにおいて互いに斜め方向に隣接するように配置された異なる指定情報により２個のＬＵＴが指定されたとき、この２個のＬＵＴの第１のサブテーブルの出力に応じて発光する２つのセルの発光重心が略一致するように、前記２n 個のＬＵＴの第１のサブテーブルを設定し、
前記輝度変化検出時に使用される制御パターンの指定情報によりＬＵＴが指定されたとき、このＬＵＴの第２のサブテーブルの出力に応じて発光するセルの前記輝度変化に対する発光重心の移動方向がフィールド毎に反転するように、前記２n 個のＬＵＴの第２のサブテーブルを設定することを特徴とするプラズマディスプレイパネルの表示方法。
【請求項３】
請求項２記載のプラズマディスプレイパネルの表示方法において、
前記通常時に使用される制御パターンは、前記２n 種類の指定情報を２つずつ選択して組み合わせ、同一の組に属する２つの指定情報を交互に並べて配置した４画素の制御パターンを２n ／２組構成し、この２n ／２組の制御パターンを交互に並べて配置したものであり、この２n ／２組の制御パターンの各々は、それぞれ水平、垂直方向共に隣接する指定情報が異なり、かつ１フィールド前と指定情報が入れ替わるように、２つの指定情報を交互に配置したものであり、
前記輝度変化検出時に使用される制御パターンは、水平、垂直方向共に隣接する指定情報が異なるように前記２n 種類の指定情報を交互に並べて配置したものであり、この制御パターンにおいて互いに斜め方向に隣接するように配置された２つの指定情報は、前記発光重心の移動方向がフィールド毎に反転するように設定された２個のＬＵＴの第２のサブテーブルをそれぞれ指定し、かつ１フィールド毎に互いに入れ替わるものであることを特徴とするプラズマディスプレイパネルの表示方法。
【請求項４】
請求項３記載のプラズマディスプレイパネルの表示方法において、
前記入力画像のＧ画像データに対して使用される前記通常時の制御パターンは、前記入力画像のＲ，Ｂ画像データに対して使用される前記通常時の制御パターンを水平方向又は垂直方向に少なくとも１画素シフトさせて生成され、
前記Ｇ画像データに対して使用される前記輝度変化検出時の制御パターンは、前記Ｒ，Ｂ画像データに対して使用される前記輝度変化検出時の制御パターンを水平方向又は垂直方向に少なくとも１画素シフトさせて生成されることを特徴とするプラズマディスプレイパネルの表示方法。
【請求項５】
請求項１記載のプラズマディスプレイパネルの表示方法において、
前記２n 個のＬＵＴは、それぞれ前記第２のサブテーブルを複数個有することを特徴とするプラズマディスプレイパネルの表示方法。
【請求項６】
プラズマディスプレイパネルの１フィールド期間を、発光期間がそれぞれ重み付けされた複数のサブフィールドに分割し、この複数のサブフィールドの中から入力画像の画素データに応じたサブフィールドを画素毎に選択して、選択したサブフィールドの重み付けに対応した期間だけプラズマディスプレイパネルのセルを発光させることにより多階調表示を行うプラズマディスプレイ装置において、
入力画像において処理対象の画素を含む水平方向に隣接する２画素間について所定の輝度変化を検出すると同時に、前記処理対象の画素を含む垂直方向に隣接する２画素間について所定の輝度変化を検出する輝度変化検出手段と、
入力画素データと選択すべきサブフィールドを表す画素駆動データとを対応付けて記憶し、前記入力画像の処理対象の画素データに対応する画素駆動データを読み出して出力する２n （ｎは２以上の整数）個のルックアップテーブル（ＬＵＴ）と、
この２n 個のＬＵＴの中から選択すべきＬＵＴを指定する２n 種類の指定情報を入力画像の各画素に対応してマトリクス状に配置した制御パターンを生成する制御パターン生成手段と、
前記処理対象の画素データが前記制御パターン上のどの位置に対応するかを判別し、判別した位置の指定情報で指定されるＬＵＴを選択するシーケンス制御手段と、
前記選択されたＬＵＴの画素駆動データに応じて前記処理対象の画素データに対応する前記プラズマディスプレイパネルのセルを発光させる発光制御手段とを有し、
前記２n 個のＬＵＴは、それぞれ入力画素データに対応するサブフィールドの構成が異なる複数個のサブテーブルから構成されるものであり、
前記シーケンス制御手段は、前記選択したＬＵＴのうち、通常時は第１のサブテーブルの画素駆動データを選択し、前記輝度変化検出手段で輝度変化が検出された時は前記第１のサブテーブルと異なる第２のサブテーブルの画素駆動データを選択することを特徴とするプラズマディスプレイ装置。
【請求項７】
請求項６記載のプラズマディスプレイ装置において、
前記制御パターン生成手段で生成される制御パターンは、前記通常時に使用される制御パターンと前記輝度変化検出時に使用される制御パターンの２種類からなり、
前記通常時に使用される制御パターンにおいて互いに斜め方向に隣接するように配置された異なる指定情報により２個のＬＵＴが指定されたとき、この２個のＬＵＴの第１のサブテーブルの出力に応じて発光する２つのセルの発光重心が略一致するように、前記２n 個のＬＵＴの第１のサブテーブルを設定し、
前記輝度変化検出時に使用される制御パターンの指定情報によりＬＵＴが指定されたとき、このＬＵＴの第２のサブテーブルの出力に応じて発光するセルの前記輝度変化に対する発光重心の移動方向がフィールド毎に反転するように、前記２n 個のＬＵＴの第２のサブテーブルを設定することを特徴とするプラズマディスプレイ装置。
【請求項８】
請求項７記載のプラズマディスプレイ装置において、
前記通常時に使用される制御パターンは、前記２n 種類の指定情報を２つずつ選択して組み合わせ、同一の組に属する２つの指定情報を交互に並べて配置した４画素の制御パターンを２n ／２組構成し、この２n ／２組の制御パターンを交互に並べて配置したものであり、この２n ／２組の制御パターンの各々は、それぞれ水平、垂直方向共に隣接する指定情報が異なり、かつ１フィールド前と指定情報が入れ替わるように、２つの指定情報を交互に配置したものであり、
前記輝度変化検出時に使用される制御パターンは、水平、垂直方向共に隣接する指定情報が異なるように前記２n 種類の指定情報を交互に並べて配置したものであり、この制御パターンにおいて互いに斜め方向に隣接するように配置された２つの指定情報は、前記発光重心の移動方向がフィールド毎に反転するように設定された２個のＬＵＴの第２のサブテーブルをそれぞれ指定し、かつ１フィールド毎に互いに入れ替わるものであることを特徴とするプラズマディスプレイ装置。
【請求項９】
請求項８記載のプラズマディスプレイ装置において、
前記入力画像のＧ画像データに対して使用される前記通常時の制御パターンは、前記入力画像のＲ，Ｂ画像データに対して使用される前記通常時の制御パターンを水平方向又は垂直方向に少なくとも１画素シフトさせて生成され、
前記Ｇ画像データに対して使用される前記輝度変化検出時の制御パターンは、前記Ｒ，Ｂ画像データに対して使用される前記輝度変化検出時の制御パターンを水平方向又は垂直方向に少なくとも１画素シフトさせて生成されることを特徴とするプラズマディスプレイ装置。
【請求項１０】
請求項６記載のプラズマディスプレイ装置において、
前記２n 個のＬＵＴは、それぞれ前記第２のサブテーブルを複数個有することを特徴とするプラズマディスプレイ装置。
【発明の詳細な説明】
【技術分野】
【０００１】
本発明は、映像信号の１フィールド期間を相対輝度の異なる複数のサブフィールドに分割して、映像信号の画素の輝度に応じてサブフィールドを適宜組み合わせて発光させることにより、多階調表示を行うプラズマディスプレイパネルの表示方法およびプラズマディスプレイ装置に関するものである。
【背景技術】
【０００２】
各画素がマトリクス状に形成されたプラズマディスプレイパネル（以下、ＰＤＰとする）の多階調表示を行うプラズマディスプレイ装置は、図１７に示すように、入力映像信号のレベル調整を行うレベル調整回路２と、レベル調整回路２の出力をＡ／Ｄ変換して８ビットの画像データとするＡ／Ｄ変換回路３と、Ａ／Ｄ変換回路３から出力された画像データに対してγ逆補正を行うγ逆補正回路４と、γ逆補正された画像データに対してディザ処理を行う階調変換回路５と、ディザ処理された画像データを後述する画素駆動データに変換するルックアップテーブル（Look Up Table 、以下、ＬＵＴとする）６と、ＬＵＴ６から出力された画素駆動データに基づいてＰＤＰ１の発光を制御する出力処理回路７と、入力映像信号のなかから同期信号（垂直同期信号と水平同期信号）を分離する同期分離回路８と、同期分離回路８からの同期信号をもとにＡ／Ｄ変換回路３のＡ／Ｄ変換のタイミング等を規定するタイミングパルスの生成を行うタイミングパルス発生回路９と、前記タイミングパルスを入力して出力処理回路７からのデータの読み出しを制御するメモリ制御回路１０と、前記タイミングパルスをもとにＰＤＰ１の各画素の表示タイミングを規定するタイミング信号の生成を行う駆動タイミング発生回路１１とからなる。
【０００３】
このようなＰＤＰ１あるいは強誘電性液晶素子を用いた表示パネルの表示を行う場合、各画素（放電セル）が発光と非発光の２つの状態しか有しないため、１フィールドの表示期間を、画素の点灯期間である維持発光期間（発光輝度に比例）の相対比がそれぞれ異なる複数のサブフィールドに分割すると共に、入力映像信号に応じたサブフィールドを選択して、選択したサブフィールドの重み付けに対応した期間だけＰＤＰ１の対応する画素を発光させることにより、所定の階調表示を得るようにしている。
【０００４】
図１８の例は、１フィールド表示期間が８個のサブフィールドＳｆ１〜Ｓｆ８により構成され、８個の階調ビットにより２５６階調表示が行われる例である。すなわち、最上位の階調ビット（８ビット目）がサブフィールドＳｆ８に対応するとともに、以下順に、７ビット目の階調ビットがサブフィールドＳｆ７に、６ビット目の階調ビットがサブフィールドＳｆ６に、５ビット目の階調ビットがサブフィールドＳｆ５に、４ビット目の階調ビットがサブフィールドＳｆ４に、３ビット目の階調ビットがサブフィールドＳｆ３に、２ビット目の階調ビットがサブフィールドＳｆ２にそれぞれ対応し、最下位の階調ビット（１ビット目）がサブフィールドＳｆ１に対応する。各サブフィールドＳｆ１〜Ｓｆ８では、維持発光期間がそれぞれ階調数（発光輝度の相対比）１（＝２0 ），２（＝２1 ），４（＝２2 ），８（＝２3 ），１６（＝２4 ），３２（＝２5 ），６４（＝２6 ），１２８（＝２7 ）として重み付けされている。
【０００５】
図１８の例は８ビットの階調を表示する場合を示しているが、一般に、ｎビットの階調を表示する場合には、各サブフィールドの発光輝度の相対比を最低限２n−1：２n−2：２n−3・・・・２2：２1：１ の構成になるようにする必要がある。ただし、このような最低限のサブフィールド構成で表示を行うと、画像が静止している部分では何の問題も発生しないが、画像が動いている部分では、人間の目が本来存在しないはずの輝度を認識してしまい、動画疑似輪郭と呼ばれる特有の画質劣化が生じるため、現状一般的には８ビットの階調を表示する場合で１２サブフィールドの構成が採用されている。動画疑似輪郭の発生原因は、人間の目が、あるサブフィールドとその前後のサブフィールドにおける発光部分や未発光部分を融合して認識してしまうことにある。
【０００６】
サブフィールド数を更に増やせば、動画擬似輪郭をより効果的に改善することができるが、画像データに応じてＰＤＰの各放電セルを点灯放電セル状態または消灯放電セル状態のいずれか一方に設定するアドレッシング工程に時間を要するため、輝度を落としてしまうトレードオフの関係にあり、また全てのサブフィールドを１フィールド期間に収めなければならないため、現状ではＰＤＰを上下２分割するアドレッシングを行って、サブフィールド数を１２とする構成が最適とされている。
【０００７】
上下２分割のアドレッシングを行わない場合、アドレス駆動ＬＳＩの数が半減し、大幅なコストダウンが期待できる。しかし、この場合、サブフィールド数が少なくなるため、発光輝度、表示階調数が減って動画擬似輪郭が悪化する。この動画疑似輪郭を抑制するために、誤差拡散処理（例えば、非特許文献１参照）と呼ばれる方法が提案されている。誤差拡散処理は、各点の色の濃さと白または黒との誤差をを演算し、演算した誤差を順次周辺の画素に分配して平均化していくことで、中間調を滑らかに再現する方法である。
【０００８】
ただし、誤差拡散処理では、ざらつき感の目立つ画像となってしまうので、動画疑似輪郭を抑制する他の手法としてディザ処理が提案されている。ディザ処理は、例えば上下、左右に互いに隣接する４つの画素を１組とし、この１組の画素各々に対応した画素データに、互いに異なる係数値からなる４つのディザ係数を加算する。この際、上記４つの画素を１画素として捉えた場合、かかるディザ処理により、見かけ上の階調数が増加するのである。ディザ係数としては、「０」、「１」、「２」、「３」を水平２画素×垂直２画素の４画素に配置したベイヤー（Bayer ）マトリクスが知られている。ところが、画素データにディザ係数を加算すると、元の画素データとは何等関係のない疑似模様、いわゆるディザパターンノイズが発生する場合があり、画質を損ねてしまうという問題があった。このようなディザパターンノイズの発生を抑制するため、フィールド毎にディザ係数を入れ替えるなどの処理を行って、固定したディザパターンノイズが発生しないようにしている。
【０００９】
このように、ディザ処理を用いるプラズマディスプレイ装置では、フィールド毎にディザ係数を入れ替える処理を行って、ディザパターンノイズの発生を抑制していた。しかしながら、このようなディザ係数の入れ替え処理を行うと、フリッカやちらつき等のノイズが発生するという問題点があった。このフリッカやちらつき等のノイズを低減する装置として、多階調表示装置（例えば、特許文献１参照）が提案されている。
【００１０】
なお、出願人は、本明細書に記載した先行技術文献情報で特定される先行技術文献以外には、本発明に関連する先行技術文献を出願時までに発見するには至らなかった。
【特許文献１】特開平８−５４８６０号公報
【非特許文献１】小川清隆他，「ＰＤＰの高画質化技術」，［online］，１９９８年５月，雑誌ＦＵＪＩＴＳＵ１９９８−５月号，ｐ．２０９−２１３，インターネット＜URL:http://magazine.fujitsu.com/index2.html＞
【発明の開示】
【発明が解決しようとする課題】
【００１１】
特許文献１の多階調表示装置では、階調変換回路によるディザ処理を改良することで、フリッカやちらつき等のノイズの発生を抑制できるとしている。しかしながら、このような方法では、フリッカやちらつき等のノイズの抑制効果が不十分であるという問題点があった。サブフィールド法による階調表示を行う従来のプラズマディスプレイ装置では、入力画像の画素データとこの画素データに応じてＬＵＴにより選択されるサブフィールドの組み合わせとが１対１で対応しており、画素データの輝度変化に対して放電セルの発光重心が直線的に変化しない場合がある。このため、画像の輪郭部分などの輝度値が変化した部分で発光重心の変化が大きくなる場合があり、フリッカやちらつき等のノイズが発生する。このようなノイズを抑制するには、隣接する画素の発光重心が大きく異ならないようにしてやる必要があるが、従来のプラズマディスプレイ装置ではＬＵＴが１個のため、画素データとサブフィールドの組み合わせを適宜変更することができず、フリッカやちらつき等のノイズの抑制効果を十分に得ることができない。
【００１２】
本発明は、上記課題を解決するためになされたもので、フリッカやちらつき等のノイズの発生を抑制しつつディザ処理に相当する階調変換を実現して、少ないサブフィールド数で従来と同等の階調表示を実現することができるプラズマディスプレイパネルの表示方法およびプラズマディスプレイ装置を提供することを目的とする。
【課題を解決するための手段】
【００１３】
本発明は、プラズマディスプレイパネルの１フィールド期間を、発光期間がそれぞれ重み付けされた複数のサブフィールドに分割し、入力画素データと選択すべきサブフィールドを表す画素駆動データとを対応付けたルックアップテーブル（ＬＵＴ）により、前記複数のサブフィールドの中から入力画像の画素データに応じたサブフィールドを画素毎に選択して、選択したサブフィールドの重み付けに対応した期間だけプラズマディスプレイパネルのセルを発光させることにより多階調表示を行うプラズマディスプレイパネルの表示方法において、入力画像において処理対象の画素を含む水平方向に隣接する２画素間について所定の輝度変化を検出すると同時に、前記処理対象の画素を含む垂直方向に隣接する２画素間について所定の輝度変化を検出する輝度変化検出手順と、予め用意された２n （ｎは２以上の整数）個の前記ＬＵＴの中から選択すべきＬＵＴを指定する２n 種類の指定情報を前記入力画像の各画素に対応してマトリクス状に配置した制御パターンを生成する制御パターン生成手順と、前記入力画像の処理対象の画素データに対応する画素駆動データを読み出して出力することを前記２n 個のＬＵＴの各々において行う変換手順と、前記処理対象の画素データが前記制御パターン上のどの位置に対応するかを判別し、判別した位置の指定情報で指定されるＬＵＴを選択するシーケンス制御手順と、前記選択されたＬＵＴの画素駆動データに応じて前記処理対象の画素データに対応する前記プラズマディスプレイパネルのセルを発光させる発光制御手順とを有し、前記２n 個のＬＵＴは、それぞれ入力画素データに対応するサブフィールドの構成が異なる複数個のサブテーブルから構成されるものであり、前記シーケンス制御手順は、前記選択したＬＵＴのうち、通常時は第１のサブテーブルの画素駆動データを選択し、前記輝度変化検出手順で輝度変化が検出された時は前記第１のサブテーブルと異なる第２のサブテーブルの画素駆動データを選択するようにしたものである。
【００１４】
また、本発明のプラズマディスプレイパネルの表示方法の１構成例において、前記制御パターン生成手順で生成される制御パターンは、前記通常時に使用される制御パターンと前記輝度変化検出時に使用される制御パターンの２種類からなり、前記通常時に使用される制御パターンにおいて互いに斜め方向に隣接するように配置された異なる指定情報により２個のＬＵＴが指定されたとき、この２個のＬＵＴの第１のサブテーブルの出力に応じて発光する２つのセルの発光重心が略一致するように、前記２n 個のＬＵＴの第１のサブテーブルを設定し、前記輝度変化検出時に使用される制御パターンの指定情報によりＬＵＴが指定されたとき、このＬＵＴの第２のサブテーブルの出力に応じて発光するセルの前記輝度変化に対する発光重心の移動方向がフィールド毎に反転するように、前記２n 個のＬＵＴの第２のサブテーブルを設定したものである。
また、本発明のプラズマディスプレイパネルの表示方法の１構成例において、前記通常時に使用される制御パターンは、前記２n 種類の指定情報を２つずつ選択して組み合わせ、同一の組に属する２つの指定情報を交互に並べて配置した４画素の制御パターンを２n ／２組構成し、この２n ／２組の制御パターンを交互に並べて配置したものであり、この２n ／２組の制御パターンの各々は、それぞれ水平、垂直方向共に隣接する指定情報が異なり、かつ１フィールド前と指定情報が入れ替わるように、２つの指定情報を交互に配置したものであり、前記輝度変化検出時に使用される制御パターンは、水平、垂直方向共に隣接する指定情報が異なるように前記２n 種類の指定情報を交互に並べて配置したものであり、この制御パターンにおいて互いに斜め方向に隣接するように配置された２つの指定情報は、前記発光重心の移動方向がフィールド毎に反転するように設定された２個のＬＵＴの第２のサブテーブルをそれぞれ指定し、かつ１フィールド毎に互いに入れ替わるものである。
【００１５】
また、本発明のプラズマディスプレイパネルの表示方法の１構成例において、前記入力画像のＧ画像データに対して使用される前記通常時の制御パターンは、前記入力画像のＲ，Ｂ画像データに対して使用される前記通常時の制御パターンを水平方向又は垂直方向に少なくとも１画素シフトさせて生成され、前記Ｇ画像データに対して使用される前記輝度変化検出時の制御パターンは、前記Ｒ，Ｂ画像データに対して使用される前記輝度変化検出時の制御パターンを水平方向又は垂直方向に少なくとも１画素シフトさせて生成されるものである。
また、本発明のプラズマディスプレイパネルの表示方法の１構成例において、前記２n 個のＬＵＴは、それぞれ前記第２のサブテーブルを複数個有するものである。
【００１６】
また、本発明は、プラズマディスプレイパネルの１フィールド期間を、発光期間がそれぞれ重み付けされた複数のサブフィールドに分割し、この複数のサブフィールドの中から入力画像の画素データに応じたサブフィールドを画素毎に選択して、選択したサブフィールドの重み付けに対応した期間だけプラズマディスプレイパネルのセルを発光させることにより多階調表示を行うプラズマディスプレイ装置において、入力画像において処理対象の画素を含む水平方向に隣接する２画素間について所定の輝度変化を検出すると同時に、前記処理対象の画素を含む垂直方向に隣接する２画素間について所定の輝度変化を検出する輝度変化検出手段と、入力画素データと選択すべきサブフィールドを表す画素駆動データとを対応付けて記憶し、前記入力画像の処理対象の画素データに対応する画素駆動データを読み出して出力する２n （ｎは２以上の整数）個のルックアップテーブル（ＬＵＴ）と、この２n 個のＬＵＴの中から選択すべきＬＵＴを指定する２n 種類の指定情報を入力画像の各画素に対応してマトリクス状に配置した制御パターンを生成する制御パターン生成手段と、前記処理対象の画素データが前記制御パターン上のどの位置に対応するかを判別し、判別した位置の指定情報で指定されるＬＵＴを選択するシーケンス制御手段と、前記選択されたＬＵＴの画素駆動データに応じて前記処理対象の画素データに対応する前記プラズマディスプレイパネルのセルを発光させる発光制御手段とを有し、前記２n 個のＬＵＴは、それぞれ入力画素データに対応するサブフィールドの構成が異なる複数個のサブテーブルから構成されるものであり、前記シーケンス制御手段は、前記選択したＬＵＴのうち、通常時は第１のサブテーブルの画素駆動データを選択し、前記輝度変化検出手段で輝度変化が検出された時は前記第１のサブテーブルと異なる第２のサブテーブルの画素駆動データを選択するものである。
【発明の効果】
【００１７】
本発明によれば、２n 個のルックアップテーブルを用いて、画素データとサブフィールドとの対応を１対１対応から１対２n 対応に増やし、２n 種類の指定情報を入力画像の各画素に対応してマトリクス状に配置した制御パターンを生成し、処理対象の画素データに対応する画素駆動データを読み出して出力することを２n 個のルックアップテーブルの各々において行い、処理対象の画素データが制御パターン上のどの位置に対応するかを判別し、判別した位置の指定情報で指定されるルックアップテーブルの画素駆動データを選択するようにしたことにより、ディザ処理に相当する階調変換を実現する。また、本発明では、２n 個のＬＵＴを、それぞれ複数個のサブテーブルから構成し、通常時は第１のサブテーブルの画素駆動データを選択し、輝度変化時は第２のサブテーブルの画素駆動データを選択するようにしたことにより、第１のサブテーブルを用いてフリッカやちらつき等のノイズの発生を抑制しつつディザ処理に相当する階調変換を実現して、少ないサブフィールド数で従来と同等の階調表示を実現することができ、また第２のサブテーブルを用いて第１のサブテーブルのみによるサブフィールドの選択では対応できない輝度変化に対しても、動画疑似輪郭を抑制することができる。
【００１８】
また、本発明では、通常時に使用される制御パターンにおいて互いに斜め方向に隣接するように配置された異なる指定情報により２個のＬＵＴが指定されたとき、この２個のＬＵＴの第１のサブテーブルの出力に応じて発光する２つのセルの発光重心が略一致するように、２n 個のＬＵＴの第１のサブテーブルを設定することにより、フリッカやちらつき等のノイズの発生を抑制することができる。さらに、本発明では、輝度変化検出時に使用される制御パターンの指定情報によりＬＵＴが指定されたとき、このＬＵＴの第２のサブテーブルの出力に応じて発光するセルの輝度変化に対する発光重心の移動方向がフィールド毎に反転するように、２n 個のＬＵＴの第２のサブテーブルを設定することにより、第１のサブテーブルのみによるサブフィールドの選択では対応できない輝度変化に対しても、動画疑似輪郭を抑制することができる。
【００１９】
また、本発明では、通常時に使用される制御パターンを、２n 種類の指定情報を２つずつ選択して組み合わせ、同一の組に属する２つの指定情報を交互に並べて配置した４画素の制御パターンを２n ／２組構成し、この２n ／２組の制御パターンを交互に並べて配置したものとし、２n ／２組の制御パターンの各々においては、それぞれ水平、垂直方向共に隣接する指定情報が異なり、かつ１フィールド前と指定情報が入れ替わるように、２つの指定情報を交互に配置するようにしたことにより、２n フィールドで一巡する制御パターンを生成することができ、ディザパターンノイズの発生をより効果的に抑制することができる。さらに、本発明では、輝度変化検出時に使用される制御パターンを、水平、垂直方向共に隣接する指定情報が異なるように２n 種類の指定情報を交互に並べて配置したものとし、この制御パターンにおいて互いに斜め方向に隣接するように配置された２つの指定情報が、発光重心の移動方向がフィールド毎に反転するように設定された２個のＬＵＴの第２のサブテーブルをそれぞれ指定し、かつ１フィールド毎に互いに入れ替わるようにしたことにより、フリッカの発生を抑制しつつ動画疑似輪郭を抑制することができる。
【００２０】
また、本発明では、入力画像のＧ画像データに対して使用する通常時の制御パターンを、入力画像のＲ，Ｂ画像データに対して使用する通常時の制御パターンを水平方向又は垂直方向に少なくとも１画素シフトさせることによって生成し、Ｇ画像データに対して使用する輝度変化検出時の制御パターンを、Ｒ，Ｂ画像データに対して使用する輝度変化検出時の制御パターンを水平方向又は垂直方向に少なくとも１画素シフトさせることによって生成することにより、Ｒ，Ｂ画像データとＧ画像データとで異なる制御パターンを用いることができ、ディザ処理によるノイズを拡散させ、抑制することができる。
【００２１】
また、本発明では、２n 個のＬＵＴに、それぞれ複数個の第２のサブテーブルを設けることにより、所定の輝度変化の検出と動画疑似輪郭の抑制とをより広範囲にわたって効果的に行うことができる。
【発明を実施するための最良の形態】
【００２２】
［第１の実施の形態］
以下、本発明の実施の形態について図面を参照して詳細に説明する。図１は本発明の第１の実施の形態となるプラズマディスプレイ装置の構成を示すブロック図である。図１のプラズマディスプレイ装置は、ＰＤＰ１と、レベル調整回路２と、Ａ／Ｄ変換回路３と、γ逆補正回路４と、出力処理回路７と、同期分離回路８と、タイミングパルス発生回路９と、メモリ制御回路１０と、駆動タイミング発生回路１１と、輝度変化検出回路１２と、ＬＵＴ１３Ａ〜１３Ｄと、シーケンス制御回路１４とからなる。
【００２３】
本実施の形態のプラズマディスプレイ装置は、図１７に示した従来のプラズマディスプレイ装置においてディザ処理を行っていた階調変換回路を省き、このディザ処理に相当する処理をＬＵＴ１３Ａ〜１３Ｄで行うようにしたものである。輝度変化検出回路１２は輝度変化検出手段を構成し、シーケンス制御回路１４は制御パターン生成手段とシーケンス制御手段とを構成し、出力処理回路７とメモリ制御回路１０と駆動タイミング発生回路１１とは発光制御手段を構成している。
【００２４】
レベル調整回路２は、入力映像信号が適切なレベルになるようにレベル調整する。Ａ／Ｄ変換回路３は、レベル調整回路２によってレベル調整された映像信号をＡ／Ｄ変換して８ビットの画像データとして出力する。
γ逆補正回路４は、ＣＲＴの発光特性と互換性を保つために、Ａ／Ｄ変換回路３から出力された８ビットの画像データをγ逆補正する。
【００２５】
輝度変化検出回路１２は、γ逆補正回路４から入力された画像データにおいて処理対象の画素を含む水平方向に隣接する２画素間について所定の輝度変化を検出すると同時に、処理対象の画素を含む垂直方向に隣接する２画素間について所定の輝度変化を検出する。
【００２６】
ＬＵＴ１３Ａ〜１３Ｄは、画素データと選択すべきサブフィールドを表す画素駆動データとを対応付けて記憶し、γ逆補正回路４から輝度変化検出回路１２を介して入力される処理対象の画素データに対応する画素駆動データを読み出して出力する。
【００２７】
このＬＵＴ１３Ａ〜１３Ｄは、それぞれ入力画素データに対応するサブフィールドの構成が異なる複数個のサブテーブルから構成される。すなわち、ＬＵＴ１３Ａはサブテーブル１３Ａ−１〜１３Ａ−３から構成され、ＬＵＴ１３Ｂはサブテーブル１３Ｂ−１〜１３Ｂ−３から構成され、ＬＵＴ１３Ｃはサブテーブル１３Ｃ−１〜１３Ｃ−３から構成され、ＬＵＴ１３Ｄはサブテーブル１３Ｄ−１〜１３Ｄ−３から構成される。
【００２８】
ここで、本実施の形態のプラズマディスプレイ装置で用いるサブフィールドの配列構成を図２に示す。本実施の形態では、図２に示すように、１フィールド期間を９個のサブフィールドＳｆ１〜Ｓｆ９に分割する６４階調のサブフィールド構成としている。各サブフィールドＳｆ１〜Ｓｆ９は、それぞれ走査期間と発光期間とを有し、サブフィールドＳｆ１〜Ｓｆ９の各発光期間の比率は１：２：４：６：８：９：１０：１２：１２に設定されている。
【００２９】
シーケンス制御回路１４は、選択すべきＬＵＴを指定する４種類の指定情報Ａ，Ｂ，Ｃ，Ｄを入力画像の各画素に対応してマトリクス状に配置した制御パターンを生成し、この制御パターンとγ逆補正回路４から入力される画像の垂直同期信号ＶＤと水平同期信号ＨＤと入力画像の各画素に同期したピクセルクロックＣＬＫとに基づいて、処理対象の画素データが制御パターン上のどの位置に対応するかを判別し、判別した位置の指定情報で指定されるＬＵＴ１３Ａ〜１３Ｄを選択すると同時に、この選択したＬＵＴのうち輝度変化検出回路１２の制御信号ＣＴＬで指定されたサブテーブルの画素駆動データを選択して出力する。
【００３０】
出力処理回路７は、シーケンス制御回路１４から出力された１フィールド分の画素駆動データを格納するフィールドメモリ（不図示）を有し、フィールドメモリ内の各画素駆動データをＰＤＰ１の各画素（放電セル）の表示データとしてデータ電極に出力することにより、ＬＵＴによって選択されたサブフィールドの重み付けに対応した期間だけＰＤＰ１の放電セルを発光させる。
【００３１】
同期分離回路８は、入力映像信号から同期信号を分離する。タイミングパルス発生回路９は、同期分離回路８によって抽出された同期信号をもとに、Ａ／Ｄ変換回路３、メモリ制御回路１０および駆動タイミング発生回路１１への各種タイミング信号を生成する。
【００３２】
メモリ制御回路１０は、タイミングパルス発生回路９のタイミング信号に基づき出力処理回路７のフィールドメモリから画素駆動データを読み出させ、この画素駆動データに基づくＰＤＰ１の発光制御を出力処理回路７に実行させる。駆動タイミング発生回路１１は、タイミングパルス発生回路９およびメモリ制御回路１０からのタイミング信号に基づきサブフィールドのタイミングや、ＰＤＰ１の各走査電極及び維持電極を駆動するためのパルス信号などを生成する。
【００３３】
次に、本実施の形態の輝度変化検出回路１２とＬＵＴ１３Ａ〜１３Ｄとシーケンス制御回路１４の動作をより詳細に説明する。
図３は輝度変化検出回路１２の構成を示すブロック図である。輝度変化検出回路１２は、γ逆補正回路４から出力されたγ逆補正後のＮビット（本実施の形態ではＮ＝８）の画像データＩＮＰＵＴを１画素分（τ）遅延させる遅延部２０と、画像データＩＮＰＵＴにおいて発光重心の移動量が大きい輝度変化を水平方向に隣接する２つの画素間について検出すると同時に、画像データＩＮＰＵＴにおいて発光重心の移動量が大きい輝度変化を垂直方向に隣接する２つの画素間について検出する輝度変化検出部２１と、輝度変化検出部２１から出力された２ビットの制御信号ＣＴＬをＮビットの画像データＩＮＰＵＴに付加して（Ｎ＋２）ビットのデータを出力する制御信号付加部２２と、制御信号付加部２２から出力された（Ｎ＋２）ビットのデータを１ライン分遅延させるラインメモリ２３と、ラインメモリ２３から出力された（Ｎ＋２）ビットのデータのうち制御信号の部分を輝度変化検出部２１から出力された制御信号ＣＴＬに置き換えた上で、Ｎビットの画像データＯＵＴＰＵＴと制御信号ＣＴＬとを分離して出力する制御信号分離部２４とから構成される。
【００３４】
図４は輝度変化検出部２１の動作を説明するための図である。本実施の形態では、図４に示すＰ２２の位置を検出の中心（処理対象の画素）として考える。ここで、γ逆補正回路４から直接入力される画像データＩＮＰＵＴのタイミングを図４の画素Ｐ２２の位置とすると、遅延部２０から出力されるデータは画像データＩＮＰＵＴに対して１画素分遅れているので図４の画素Ｐ２１の位置となる。一方、ラインメモリ２３から出力される（Ｎ＋２）ビットのデータは画像データＩＮＰＵＴに対して１ライン分遅れているので図４の画素Ｐ１２の位置となる。
【００３５】
輝度変化検出部２１は、水平方向に隣接する画素Ｐ２２と画素Ｐ２１間について発光重心の移動量が大きい輝度変化を図５（ａ）、図５（ｂ）に示すようなＬＵＴ２１０，２１１を用いて検出する。
前述のとおり、ＬＵＴ１３Ａ〜１３Ｄはそれぞれ複数個のサブテーブルを備えているが、通常時は第１のサブテーブル１３Ａ−１〜１３Ｄ−１に基づいて入力画素データに対応するサブフィールドが選択される。このとき、第１のサブテーブル１３Ａ−１〜１３Ｄ−１のみによるサブフィールドの選択では、隣接する２つの画素の輝度変化に対して発光重心の移動量が大きくなる場合がある。
【００３６】
ここで、本実施の形態では、フィールドの起点を０、サブフィールドＳＦ１の発光中心までの時間を長さ１、発光輝度を重さ１として、サブフィールドの組み合わせによる１フィールド期間中の発光重心を計算するものとする。発光重心の移動量が大きくなるのは、例えば第１の画素については下位側（Ｓｆ１側）のサブフィールドが選択されて上位側（Ｓｆ９側）のサブフィールドが非選択になり、この第１の画素に隣接する第２の画素については上位側のサブフィールドが選択されて下位側のサブフィールドが非選択になるといったように、隣接する２つの画素について選択されるサブフィールドの組み合わせが大きく変わる場合である。
【００３７】
輝度変化検出部２１のＬＵＴ２１０には、第１のサブテーブル１３Ａ−１〜１３Ｄ−１に基づいてサブフィールドが選択されたときに発光重心の移動量が大きくなる輝度変化が予め登録されている。この輝度変化は、第１の画素の輝度とこれに隣接する第２の画素の輝度の組み合わせで表される。図５（ａ）の例では、第１の画素の輝度と第２の画素の輝度の組み合わせがＭ＝１〜Ｍ＝１２の１２通り登録されている。
【００３８】
ＬＵＴ１３Ａ〜１３Ｄの第２のサブテーブル１３Ａ−２〜１３Ｄ−２は、このＬＵＴ２１０に対応するものであり、ＬＵＴ２１０に登録された輝度変化が生じたときに動画疑似輪郭を相殺するように構成されたサブフィールドが画素駆動データとして設定されている。
【００３９】
輝度変化検出部２１は、通常時は第１のサブテーブル１３Ａ−１〜１３Ｄ−１を指定する２ビットの制御信号ＣＴＬを出力するが、隣接する２つの画素の輝度がＬＵＴ２１０に登録された輝度変化に該当する場合、この隣接する２つの画素について第２のサブテーブル１３Ａ−２〜１３Ｄ−２を指定する制御信号ＣＴＬを出力する。
【００４０】
例えば、輝度変化検出部２１は、第１の画素の輝度がＬＵＴ２１０に登録されたＭ＝４番目の輝度４５−５２の範囲内にあり、かつ第２の画素の輝度がＭ＝４番目の輝度５３−５６の範囲内にある場合には、第１の画素と第２の画素に発光重心の移動量が大きい輝度変化が生じていると判断し、第１の画素と第２の画素について第２のサブテーブル１３Ａ−２〜１３Ｄ−２を指定する制御信号ＣＴＬを出力する。
【００４１】
同様に、輝度変化検出部２１のＬＵＴ２１１には、サブテーブル１３Ａ−１〜１３Ｄ−１に基づいてサブフィールドが選択されたときに発光重心の移動量が大きくなる輝度変化が予め登録されているが、この輝度変化はＬＵＴ２１０に登録されているものとは異なる。図５（ｂ）の例では、第１の画素の輝度と第２の画素の輝度の組み合わせがＭ＝１〜Ｍ＝１２の１２通り登録されている。
【００４２】
ＬＵＴ１３Ａ〜１３Ｄの第２のサブテーブル１３Ａ−３〜１３Ｄ−３は、このＬＵＴ２１１に対応するものであり、ＬＵＴ２１１に登録された輝度変化が生じたときに動画疑似輪郭を相殺するように構成されたサブフィールドが画素駆動データとして設定されている。
【００４３】
輝度変化検出部２１は、隣接する２つの画素の輝度がＬＵＴ２１１に登録された輝度変化に該当する場合、この隣接する２つの画素について第２のサブテーブル１３Ａ−３〜１３Ｄ−３を指定する２ビットの制御信号ＣＴＬを出力する。例えば、輝度変化検出部２１は、第１の画素の輝度がＬＵＴ２１１に登録されたＭ＝４番目の輝度４９−５６の範囲内にあり、かつ第２の画素の輝度がＭ＝４番目の輝度５７−６４の範囲内にある場合には、第１の画素と第２の画素に発光重心の移動量が大きい輝度変化が生じていると判断し、第１の画素と第２の画素について第２のサブテーブル１３Ａ−３〜１３Ｄ−３を指定する制御信号ＣＴＬを出力する。
【００４４】
輝度変化検出部２１は、水平方向に隣接する画素Ｐ２１とＰ２２間について発光重心の移動量が大きい輝度変化を検出するが、このとき画素Ｐ２１を前述の第１の画素、画素Ｐ２２を第２の画素としてＬＵＴ２１０，２１１との照合を行うと共に、画素Ｐ２２を第１の画素、画素Ｐ２１を第２の画素としてＬＵＴ２１０，２１１との照合を行う。
【００４５】
また、輝度変化検出部２１は、垂直方向に隣接する画素Ｐ１２と画素Ｐ２２間について発光重心の移動量が大きい輝度変化をＬＵＴ２１０，２１１を用いて検出する。この場合の輝度変化の検出方法も、水平方向の検出の場合と同様である。すなわち、輝度変化検出部２１は、画素Ｐ１２を前述の第１の画素、画素Ｐ２２を第２の画素としてＬＵＴ２１０，２１１との照合を行うと共に、画素Ｐ２２を第１の画素、画素Ｐ１２を第２の画素としてＬＵＴ２１０，２１１との照合を行う。
【００４６】
制御信号分離部２４は、ラインメモリ２３から出力された（Ｎ＋２）ビットのデータをＮビットの画像データＯＵＴＰＵＴと２ビットの制御信号ＣＴＬとに分離し、画像データＯＵＴＰＵＴをＬＵＴ１３Ａ〜ＬＵＴ１３Ｄに出力し、制御信号ＣＴＬをシーケンス制御回路１４に出力するが、このとき（Ｎ＋２）ビットのデータに含まれる制御信号を、輝度変化検出部２１から出力された、画素Ｐ１２に同期した制御信号ＣＴＬに置き換えて出力する。
【００４７】
以上により、輝度変化検出回路１２は、水平方向に隣接する画素Ｐ２１とＰ２２間、垂直方向に隣接する画素Ｐ１２とＰ２２間のいずれについても発光重心の移動量が大きい輝度変化が生じていない場合には、画像データＯＵＴＰＵＴの画素Ｐ１２，Ｐ２１，Ｐ２２の各々に同期したタイミングで第１のサブテーブル１３Ａ−１〜１３Ｄ−１を指定する制御信号ＣＴＬを出力する。
【００４８】
また、輝度変化検出回路１２は、水平方向に隣接する画素Ｐ２１とＰ２２間で発光重心の移動量が大きい輝度変化を検出した場合には、画像データＯＵＴＰＵＴの画素Ｐ２１，Ｐ２２の各々に同期したタイミングで第２のサブテーブル１３Ａ−２〜１３Ｄ−２または１３Ａ−３〜１３Ｄ−３を指定する制御信号ＣＴＬを出力し、垂直方向に隣接する画素Ｐ１２とＰ２２間で発光重心の移動量が大きい輝度変化を検出した場合には、画像データＯＵＴＰＵＴの画素Ｐ１２，Ｐ２２の各々に同期したタイミングで第２のサブテーブル１３Ａ−２〜１３Ｄ−２または１３Ａ−３〜１３Ｄ−３を指定する制御信号ＣＴＬを出力する。
【００４９】
水平方向に隣接する画素Ｐ２１とＰ２２間、垂直方向に隣接する画素Ｐ１２とＰ２２間の両方で発光重心の移動量が大きい輝度変化が同時に検出された場合、画素Ｐ２２については、画素Ｐ２１とＰ２２間の検出結果が優先される。すなわち、輝度変化検出回路１２の輝度変化検出部２１は、画素Ｐ２１とＰ２２間、画素Ｐ１２とＰ２２間の両方で発光重心の移動量が大きい輝度変化を同時に検出したとき、画素Ｐ２１とＰ２２の輝度がＬＵＴ２１０に登録された輝度変化に該当する場合には第２のサブテーブル１３Ａ−２〜１３Ｄ−２を指定する制御信号ＣＴＬを画像データＯＵＴＰＵＴの画素Ｐ２２に同期したタイミングで出力し、画素Ｐ２１とＰ２２の輝度がＬＵＴ２１１に登録された輝度変化に該当する場合には第２のサブテーブル１３Ａ−３〜１３Ｄ−３を指定する制御信号ＣＴＬを画素Ｐ２２に同期したタイミングで出力する。
【００５０】
水平方向に隣接する画素Ｐ２１とＰ２２間の検出結果を優先する理由は、水平方向の疑似輪郭輝度変化の方が人間の目につきやすいため、水平方向の疑似輪郭輝度変化の抑制を優先的に行うことが望ましいからである。
なお、本実施の形態では、第２のサブテーブルを１３Ａ−２〜１３Ｄ−２と１３Ａ−３〜１３Ｄ−３の２組設けているが、このように第２のサブテーブルを複数組設ける理由については後述する。
【００５１】
図６にシーケンス制御回路１４が生成する制御パターンの１例を示す。図６の制御パターンは、選択すべきＬＵＴを表す指定情報を水平２画素×垂直２画素の４画素に対応してマトリクス状に配置したものである。指定情報Ａ，Ｂ，Ｃ，Ｄは、選択すべきＬＵＴとしてそれぞれＬＵＴ１３Ａ（１３Ａ−１〜１３Ａ−３），１３Ｂ（１３Ｂ−１〜１３Ｂ−３），１３Ｃ（１３Ｃ−１〜１３Ｃ−３），１３Ｄ（１３Ｄ−１〜１３Ｄ−３）を指定する。
【００５２】
ＬＵＴ１３Ａ−１〜１３Ａ−３，１３Ｂ−１〜１３Ｂ−３，１３Ｃ−１〜１３Ｃ−３，１３Ｄ−１〜１３Ｄ−３には、それぞれ８ビットの画素データと６ビットの画素駆動データとが対応付けて予め登録されている。ＬＵＴ１３Ａ−１〜１３Ａ−３，１３Ｂ−１〜１３Ｂ−３，１３Ｃ−１〜１３Ｃ−３，１３Ｄ−１〜１３Ｄ−３は、γ逆補正回路４から輝度変化検出回路１２を介して入力された８ビットの画像データの各画素データに対応する６ビットの画素駆動データを画素毎に読み出して出力する。
【００５３】
以下の説明では、輝度変化検出回路１２から出力された制御信号ＣＴＬが第１のサブテーブル１３Ａ−１〜１３Ｄ−１を指定する通常時の動作について説明し、制御信号ＣＴＬが第２のサブテーブル１３Ａ−２〜１３Ｄ−２又は１３Ａ−３〜１３Ｄ−３を指定する輝度変化検出時の動作については後述する。
【００５４】
シーケンス制御回路１４が通常時に生成する制御パターンの指定情報ＡとＤとは、互いに斜め方向に隣接するように配置され、同様に指定情報ＢとＣとは、互いに斜め方向に隣接するように配置される。そして、ＬＵＴ１３Ａ〜１３Ｄの第１のサブテーブル１３Ａ−１，１３Ｂ−１，１３Ｃ−１，１３Ｄ−１が出力する画素駆動データをそれぞれＡＯ，ＢＯ，ＣＯ，ＤＯとすると、ＡＯ≧ＤＯ≧ＢＯ≧ＣＯとなり、かつ画素駆動データＡＯに応じた発光の１フィールド期間中の重心と画素駆動データＤＯに応じた発光の１フィールド期間中の重心とが略一致し、画素駆動データＢＯに応じた発光の１フィールド期間中の重心と画素駆動データＣＯに応じた発光の１フィールド期間中の重心とが略一致するように第１のサブテーブル１３Ａ−１〜１３Ｄ−１の設定規則が決められている。
【００５５】
図１７に示した従来のプラズマディスプレイ装置において、本実施の形態と同じ６４階調のサブフィールド構成を採用したとすると、ＬＵＴ６に入力される画素データが「５」の場合、画素駆動データ「５」がＬＵＴ６から出力される。画素駆動データが「５」（２進数で「０００１０１」）の場合、サブフィールドＳｆ１とＳｆ３とが選択されたことになるので、この画素駆動データに応じてサブフィールドＳｆ１とＳｆ３の重み付けに対応した期間だけＰＤＰ１の対応する画素が発光する。これにより、画素の輝度が「５」となる。従来のプラズマディスプレイ装置では、ＬＵＴが１個なので、図６のＡ，Ｂ，Ｃ，Ｄに対応する４画素全ての輝度が「５」となる。
【００５６】
一方、本実施の形態では、サブテーブル１３Ａ−１〜１３Ｄ−１に入力される画素データが「２１」の場合、サブテーブル１３Ａ−１から出力される画素駆動データＡＯが「６」、サブテーブル１３Ｂ−１〜１３Ｄ−１から出力される画素駆動データＢＯ，ＣＯ，ＤＯが「５」となる。このような出力となる理由は、輝度２１＝５．２５×４を前述の設定規則に基づいてサブテーブル１３Ａ−１〜１３Ｄ−１の画素駆動データＡＯ〜ＤＯに配分したためである。
【００５７】
シーケンス制御回路１４は、生成した制御パターンと垂直同期信号ＶＤと水平同期信号ＨＤとピクセルクロックＣＬＫとに基づいて、γ逆補正回路４から輝度変化検出回路１２を介して入力された画素データが制御パターン中のどの位置にあるかを画素毎に判別し、画素データが指定情報Ａの位置にある場合にはＬＵＴ１３Ａを選択し、画素データが指定情報Ｂの位置にある場合にはＬＵＴ１３Ｂを選択し、画素データが指定情報Ｃの位置にある場合にはＬＵＴ１３Ｃを選択し、画素データが指定情報Ｄの位置にある場合にはＬＵＴ１３Ｄを選択する。
【００５８】
この選択と同時に、シーケンス制御回路１４は、輝度変化検出回路１２から入力された制御信号ＣＴＬに基づいて、選択したＬＵＴ中のどのサブテーブルを選択すべきかを判断し、制御信号ＣＴＬで指定されたサブテーブルの画素駆動データを選択して出力する。ここでは、制御信号ＣＴＬが第１のサブテーブル１３Ａ−１〜１３Ｄ−１を指定している場合について説明しているので、画素データが例えば指定情報Ａの位置にある場合、サブテーブル１３Ａ−１の画素駆動データが選択される。
【００５９】
シーケンス制御回路１４から出力された画素駆動データが「６」（２進数で「０００１１０」）の場合、サブフィールドＳｆ２とＳｆ３とが選択されたことになるので、この画素駆動データに応じてサブフィールドＳｆ２とＳｆ３の重み付けに対応した期間だけＰＤＰ１の対応する画素が発光する。画素駆動データが「５」の場合、前述のとおり、サブフィールドＳｆ１とＳｆ３の重み付けに対応した期間だけＰＤＰ１の対応する画素が発光する。
【００６０】
したがって、図６の制御パターンに対応する水平２画素×垂直２画素の４画素のデータが全て「２１」であった場合、指定情報Ａの位置にある画素の輝度が「６」、指定情報Ｂ〜Ｄの位置にある画素の輝度が「５」となり、これら４画素を１つの表示単位として眺めた場合の輝度は「２１」となる。
【００６１】
同様に、サブテーブル１３Ａ−１〜１３Ｄ−１に入力される画素データが「２２」の場合、サブテーブル１３Ａ−１，１３Ｄ−１から出力される画素駆動データＡＯ，ＤＯが「６」、サブテーブル１３Ｂ−１，１３Ｃ−１から出力される画素駆動データＢＯ，ＣＯが「５」となる。このような出力となる理由は、輝度２２＝５．５×４を前述の設定規則に基づいてサブテーブル１３Ａ−１〜１３Ｄ−１の画素駆動データＡＯ〜ＤＯに配分したためである。
【００６２】
したがって、図６の制御パターンに対応する水平２画素×垂直２画素の４画素のデータが全て「２２」であった場合、指定情報Ａ，Ｄの位置にある画素の輝度が「６」、指定情報Ｂ，Ｃの位置にある画素の輝度が「５」となり、これら４画素を１つの表示単位として眺めた場合の輝度は「２２」となる。
【００６３】
また、サブテーブル１３Ａ−１〜１３Ｄ−１に入力される画素データが「２３」の場合、サブテーブル１３Ａ−１，１３Ｂ−１，１３Ｄ−１から出力される画素駆動データＡＯ，ＢＯ，ＤＯが「６」、サブテーブル１３Ｃ−１から出力される画素駆動データＣＯが「５」となる。このような出力となる理由は、輝度２３＝５．７５×４を前述の設定規則に基づいてサブテーブル１３Ａ−１〜１３Ｄ−１の画素駆動データＡＯ〜ＤＯに配分したためである。
【００６４】
したがって、図６の制御パターンに対応する水平２画素×垂直２画素の４画素のデータが全て「２３」であった場合、指定情報Ａ，Ｂ，Ｄの位置にある画素の輝度が「６」、指定情報Ｃの位置にある画素の輝度が「５」となり、これら４画素を１つの表示単位として眺めた場合の輝度は「２３」となる。
【００６５】
以上のように、本実施の形態によれば、水平２画素×垂直２画素の４画素を１つの表示単位として眺めた場合、サブフィールド構成が６４階調（シーケンス制御回路１４から出力する画素駆動データが６ビット）であっても、表現できる輝度階調数はその４倍の２５６階調、すなわち８ビット相当の中間調表示が可能となるので、少ないサブフィールド数で多階調表示が可能となる。
【００６６】
ただし、図６に示した制御パターンを単純に繰り返し並べていくと、従来のディザ処理と同様のディザパターンノイズが発生してしまう。そこで、本実施の形態では、ディザパターンノイズの発生を抑制するため、通常時、すなわち輝度変化検出回路１２から出力された制御信号ＣＴＬが第１のサブテーブル１３Ａ−１〜１３Ｄ−１を指定しているときは、４フィールドで一巡する図７（ａ）、図７（ｂ）、図７（ｃ）、図７（ｄ）のような制御パターン群を用いる。図７（ａ）〜図７（ｄ）において、ｋは任意の自然数である。
【００６７】
図７の例では、４つの指定情報Ａ，Ｂ，Ｃ，Ｄを２つずつ選択して組み合わせ、同一の組に属する２つの指定情報を交互に並べて配置した水平２画素×垂直２画素の制御パターンを２組構成し、２組の制御パターンを交互に並べて配置したものを制御パターン群としている。つまり、指定情報ＡとＢとを交互に並べて配置したものを第１組の制御パターンとし、指定情報ＣとＤとを交互に並べて配置したものを第２組の制御パターンとすると、第１組の制御パターンと第２組の制御パターンとを交互に並べて配置したものが図７（ａ）〜図７（ｄ）の制御パターン群である。ｋフィールドから（ｋ＋３）フィールドの第１組の制御パターンを図７（ｅ）〜図７（ｈ）に示し、ｋフィールドから（ｋ＋３）フィールドの第２組の制御パターンを図７（ｉ）〜図７（ｌ）に示す。
【００６８】
このとき、第１組の制御パターンと第２組の制御パターンの各々においては、それぞれ水平、垂直方向共に隣接する指定情報が異なり、かつ１フィールド前と指定情報が入れ替わるように、２つの指定情報を交互に配置する。例えば、ｋフィールドの第１組の制御パターンと（ｋ＋１）フィールドの第１組の制御パターンでは、図７（ｅ）、図７（ｆ）に示すように、指定情報Ａ，Ｂの位置が入れ替わっていることが分かる。したがって、第１組の制御パターンと第２組の制御パターンがそれぞれ２種類ずつ存在するので、第１組の制御パターンと第２組の制御パターンの組み合わせが４種類存在することになり、これら４種類の組み合わせが４フィールドで一巡することになる。シーケンス制御回路１４は、以上のような構成の制御パターン群を生成する。
【００６９】
本実施の形態では、輝度変化検出回路１２から出力された制御信号ＣＴＬが第１のサブテーブル１３Ａ−１〜１３Ｄ−１を指定している場合、各画素において同一の指定情報が発生する１周期（本実施の形態では４フィールド）あたりの輝度平均値が各画素で同一となるように制御パターン群が生成される。つまり、図７（ａ）、図７（ｂ）、図７（ｃ）、図７（ｄ）から分かるように、１つのフィールドでは各画素の指定情報がＡ，Ｂ，Ｃ，Ｄのいずれかであり、これに対応する画素駆動データがＡＯ，ＢＯ，ＣＯ，ＤＯのいずれかであるから、輝度値は各画素で同一とは限らない。
【００７０】
しかし、ｋフィールドから（ｋ＋３）フィールドにわたって各画素の指定情報に注目すると、指定情報の発生順は画素によって異なるが、全ての画素で指定情報Ａ，Ｂ，Ｃ，Ｄが４フィールドで一巡しており、その結果、画素駆動データＡＯ，ＢＯ，ＣＯ，ＤＯが４フィールドで一巡することが分かる。したがって、４フィールドあたりの輝度平均値は各画素で同一である。このように、全ての指定情報を周期的に発生させることで、同一の指定情報の発生周期における画素の輝度平均値を各画素で同じにすることができ、輝度の違いによるディザパターンノイズの発生を抑えることができる。
【００７１】
本実施の形態では、４フィールドで一巡する図７のような制御パターン群を用いることにより、ディザパターンノイズを抑制することができるが、例えば画素駆動データＡＯに応じた発光の１フィールド期間中の重心が他の画素駆動データＢＯ〜ＤＯに応じた発光の１フィールド期間中の重心と大きく異なっている場合、フリッカやちらつき等のノイズが発生してしまう。
【００７２】
そこで、本実施の形態では、前述の第１のサブテーブル１３Ａ−１〜１３Ｄ−１の設定規則で述べたように、画素駆動データＡＯに応じた発光の１フィールド期間中の重心と画素駆動データＤＯに応じた発光の１フィールド期間中の重心とが略一致し、画素駆動データＢＯに応じた発光の１フィールド期間中の重心と画素駆動データＣＯに応じた発光の１フィールド期間中の重心とが略一致するように第１のサブテーブル１３Ａ−１〜１３Ｄ−１が設定される。
【００７３】
また、あるフィールドと次のフィールドの間で画像データの輝度値が変化すると、１つのフィールド期間中の発光重心の位置が移動するが、このような発光重心の移動幅が大きいほど動画擬似輪郭も大きくなる。そこで、本実施の形態では、前述の第１のサブテーブル１３Ａ−１〜１３Ｄ−１の設定規則に、新たな設定規則を加え、サブフィールドＳｆ４より大きい重み付けのサブフィールドＳｆ５〜Ｓｆ９については、直前のサブフィールドが選択された場合のみ選択されるようにしている。
【００７４】
サブフィールドＳｆ５はサブフィールドＳｆ４が選択されている場合（画素駆動データのサブフィールドＳｆ４に対応するビットが「１」の場合）のみ選択可能とし、サブフィールドＳｆ６はサブフィールドＳｆ５が選択されている場合のみ選択可能とし、サブフィールドＳｆ７はサブフィールドＳｆ６が選択されている場合のみ選択可能とし、サブフィールドＳｆ８はサブフィールドＳｆ７が選択されている場合のみ選択可能とし、サブフィールドＳｆ９はサブフィールドＳｆ８が選択されている場合のみ選択可能とする。
【００７５】
つまり、本実施の形態では、複数のサブフィールドＳｆ１〜Ｓｆ９を重み付けの大きい順または小さい順に配置し、複数のサブフィールドＳｆ１〜Ｓｆ９のうち所定値より大きい重み付けのサブフィールドについては、このサブフィールドと隣接して配置される小さい重み付けのサブフィールドが選択された場合のみ選択可能となるように、第１のサブテーブル１３Ａ−１〜１３Ｄ−１を設定している。
【００７６】
このような新たな設定規則を加えることで、入力画素データの輝度値が変化したときにあるレベル以上の発光重心の移動が起こることを抑制することができ、動画擬似輪郭の発生を抑制することができる。なお、動画擬似輪郭が発生する輝度が画素駆動データＡＯ（またはＤＯ）と画素駆動データＢＯ（またはＣＯ）とで異なるため、拡散効果によっても動画擬似輪郭の発生は抑制される。
【００７７】
以上のような設定規則に従って設定した第１のサブテーブル１３Ａ−１〜１３Ｄ−１の設定内容の一部を図８、図９に示す。図８、図９において、Ｉｎはγ逆補正回路４から輝度変化検出回路１２を介して入力される８ビットの画素データを十進数で表記した値、ＡＤ，ＢＤ，ＣＤ，ＤＤはそれぞれ第１のサブテーブル１３Ａ−１〜１３Ｄ−１から出力される６ビットの画素駆動データＡＯ，ＢＯ，ＣＯ，ＤＯを十進数で表記した値である。また、図９のＯｕｔは画素駆動データＡＯ，ＢＯ，ＣＯ，ＤＯに対応する４画素を１つの表示単位として眺めた場合の輝度である。なお、図８、図９では、第１のサブテーブル１３Ａ−１〜１３Ｄ−１の一部についてのみ記載しているが、８ビットの画素データ０〜２５５に対してそれぞれ６ビットの画素駆動データが第１のサブテーブルの設定規則に従って設定されていることは言うまでもない。
【００７８】
本実施の形態によれば、４個のＬＵＴ１３Ａ〜１３Ｄの第１のサブテーブル１３Ａ−１〜１３Ｄ−１を用いることにより、従来のディザ処理に相当する階調変換を実現する。そして、本実施の形態では、画素駆動データＡＯに応じた発光の重心と画素駆動データＤＯに応じた発光の重心とが略一致し、画素駆動データＢＯに応じた発光の重心と画素駆動データＣＯに応じた発光の重心とが略一致するように第１のサブテーブル１３Ａ−１〜１３Ｄ−１を設定することにより、フリッカやちらつき等のノイズの発生を抑制することができる。
【００７９】
なお、本実施の形態では、水平２画素×垂直２画素の制御パターンの集まりからなる制御パターン群と４個のＬＵＴを使用して６４階調の４倍の２５６階調の表示を実現しているが、これに限るものではなく、水平２画素×垂直４画素（あるいは水平４画素×垂直２画素）の制御パターンの集まりからなる制御パターン群と８個のＬＵＴを使用すれば、８倍の５１２階調の表示を実現することができ、水平４画素×垂直４画素の制御パターンの集まりからなる制御パターン群と１６個のＬＵＴを使用すれば、１６倍の１０２４階調の表示を実現することができる。
【００８０】
すなわち、選択すべきＬＵＴを指定する２n （ｎは２以上の整数で、本実施の形態ではｎ＝２）種類の指定情報を入力画像の各画素に対応してマトリクス状に配置した制御パターンと２n 種類の指定情報に対応する２n 個のＬＵＴとを使用すれば、サブフィールド構成で実現可能な階調数の２n 倍の階調数を実現することができる。
【００８１】
この場合、通常時に使用する制御パターン群は、２n 種類の指定情報を２つずつ選択して組み合わせ、同一の組に属する２つの指定情報を交互に並べて配置した水平２画素×垂直２画素の制御パターンを２n ／２組構成し、この２n ／２組の制御パターンを交互に並べて配置したものであり、２n ／２組の制御パターンの各々においては、それぞれ水平、垂直方向共に隣接する指定情報が異なり、かつ１フィールド前と指定情報が入れ替わるように、２つの指定情報を交互に配置する。この場合、各画素において同一の指定情報が発生する周期は、２n フィールドである。
【００８２】
以上のように、本実施の形態によれば、フリッカやちらつき等のノイズの発生を抑制しつつディザ処理に相当する階調変換を実現して、少ないサブフィールド数で従来（サブフィールド数が１２のプラズマディスプレイ装置）と同等の階調表示を実現することができる。ただし、第１のサブテーブル１３Ａ−１〜１３Ｄ−１のみによる構成では、動画疑似輪郭の抑制効果が不十分な場合がある。その理由は、前述のとおり、第１のサブテーブル１３Ａ−１〜１３Ｄ−１のみによるサブフィールドの選択では、隣接する２つの画素の輝度変化に対して発光重心の移動量が大きくなる場合があるからである。
【００８３】
そこで、本実施の形態では、第１のサブテーブル１３Ａ−１〜１３Ｄ−１に加えて、第２のサブテーブル１３Ａ−２〜１３Ｄ−２，１３Ａ−３〜１３Ｄ−３を設けることにより、第１のサブテーブル１３Ａ−１〜１３Ｄ−１のみでは対応できない動画疑似輪郭を抑制する。
【００８４】
第２のサブテーブル１３Ａ−２〜１３Ｄ−２，１３Ａ−３〜１３Ｄ−３の設定内容の一部を図１０〜図１３に示す。図１０〜図１３において、Ｉｎは入力される８ビットの画素データを十進数で表記した値、ＡＤ，ＢＤ，ＣＤ，ＤＤはそれぞれ第２のサブテーブル１３Ａ−２〜１３Ｄ−２又は１３Ａ−３〜１３Ｄ−３から出力される６ビットの画素駆動データＡＯ，ＢＯ，ＣＯ，ＤＯを十進数で表記した値である。また、図１１、図１３のＯｕｔは画素駆動データＡＯ，ＢＯ，ＣＯ，ＤＯに対応する４画素を１つの表示単位として眺めた場合の輝度である。なお、図１０〜図１３では、第２のサブテーブル１３Ａ−２〜１３Ｄ−２，１３Ａ−３〜１３Ｄ−３の一部についてのみ記載しているが、８ビットの画素データ０〜２５５に対してそれぞれ画素駆動データが後述する第２のサブテーブルの設定規則に従って設定されている。
【００８５】
第２のサブテーブル１３Ａ−２〜１３Ｄ−２，１３Ａ−３〜１３Ｄ−３では、第１のサブテーブル１３Ａ−１〜１３Ｄ−１のみでは対応できない動画疑似輪郭を抑制するため、画素駆動データに応じて発光するセルの輝度変化に対する発光重心の移動方向がフィールド毎に反転するように設定されている。
【００８６】
例えば、輝度変化検出回路１２は、ＬＵＴ２１０により第１の画素の輝度が４５−５２の範囲内にあり、かつ第１の画素に隣接する第２の画素の輝度が５３−５６の範囲内にある輝度変化を検出する。このような輝度変化に対して、図１０に示した第２のサブテーブル１３Ａ−２によれば、入力画素データの輝度５２に対応してサブフィールドＳｆ４，Ｓｆ５を表す画素駆動データが出力され、輝度５３に対応してサブフィールドＳｆ１〜Ｓｆ４を表す画素駆動データが出力される。つまり、輝度５２から５３への輝度変化に対して、発光重心は１フィールド期間中の上位側から下位側へ移動する。
【００８７】
同じく図１０に示した第２のサブテーブル１３Ｄ−３によれば、入力画素データの輝度５２に対応してサブフィールドＳｆ２〜Ｓｆ４を表す画素駆動データが出力され、輝度５３に対応してサブフィールドＳｆ４，Ｓｆ５を表す画素駆動データが出力される。つまり、輝度５２から５３への輝度変化に対して、発光重心は１フィールド期間中の下位側から上位側へ移動する。
【００８８】
そして、第２のサブテーブル１３Ａ−２，１３Ｄ−２を指定するための指定情報Ａ，Ｄは、後述する輝度変化検出時の制御パターンにおいて互いに斜め方向に隣接するように配置され、かつ１フィールド毎に互いに入れ替わるように配置される。このような構成により、輝度変化検出回路１２により輝度変化が検出された画素の発光重心の移動方向はフィールド毎に反転する。
【００８９】
なお、輝度変化検出回路１２のＬＵＴ２１０によって輝度変化が検出されたときに、指定情報Ｂ，Ｃによって指定される第２のサブテーブル１３Ｂ−２，１３Ｃ−２については、発光重心の移動が生じないように設定されている。例えば図１１に示した第２のサブテーブル１３Ｂ−２，１３Ｃ−２によれば、入力画素データの輝度が５２から５３に変化しても、選択されるサブフィールドの構成は変化しない。
【００９０】
また、輝度変化検出回路１２は、ＬＵＴ２１１により第１の画素の輝度が４９−５６の範囲内にあり、かつ第１の画素に隣接する第２の画素の輝度が５７−６４の範囲内にある輝度変化を検出する。このような輝度変化に対して、図１３に示した第２のサブテーブル１３Ｂ−３によれば、入力画素データの輝度５６に対応してサブフィールドＳｆ４，Ｓｆ５を表す画素駆動データが出力され、輝度５７に対応してサブフィールドＳｆ１〜Ｓｆ４を表す画素駆動データが出力される。つまり、輝度５６から５７への輝度変化に対して、発光重心は１フィールド期間中の上位側から下位側へ移動する。
【００９１】
同じく図１３に示した第２のサブテーブル１３Ｃ−３によれば、入力画素データの輝度５６に対応してサブフィールドＳｆ１〜Ｓｆ４を表す画素駆動データが出力され、輝度５７に対応してサブフィールドＳｆ４，Ｓｆ５を表す画素駆動データが出力される。つまり、輝度５６から５７への輝度変化に対して、発光重心は１フィールド期間中の下位側から上位側へ移動する。
【００９２】
そして、第２のサブテーブル１３Ｂ−３，１３Ｃ−３を指定するための指定情報Ｂ，Ｃは、後述する輝度変化検出時の制御パターンにおいて互いに斜め方向に隣接するように配置され、かつ１フィールド毎に互いに入れ替わるように配置される。このような構成により、輝度変化検出回路１２により輝度変化が検出された画素の発光重心の移動方向はフィールド毎に反転する。
【００９３】
なお、輝度変化検出回路１２のＬＵＴ２１１によって輝度変化が検出されたときに、指定情報Ａ，Ｄによって指定される第２のサブテーブル１３Ａ−３，１３Ｄ−３については、発光重心の移動が生じないように設定されている。例えば図１２に示した第２のサブテーブル１３Ａ−３，１３Ｄ−３によれば、入力画素データの輝度が５６から５７に変化しても、選択されるサブフィールドの構成はほとんど変化しない。
【００９４】
ここで、第２のサブテーブルを複数組設ける理由を説明すると、第２のサブテーブルを１３Ａ−２〜１３Ｄ−２と１３Ａ−３〜１３Ｄ−３の２組設ける理由は、動画疑似輪郭の抑制をより広範囲にわたって効果的に行うためである。つまり、輝度変化検出回路１２のＬＵＴ２１０によって検出する輝度変化とＬＵＴ２１１によって検出する輝度変化とは似通った検出範囲にあるため、それぞれの輝度変化に対する適切なサブフィールドの選択を１つのサブテーブルで行うことは検出範囲が重なっているために困難である。
【００９５】
そこで、本実施の形態では、似通った検出範囲にある輝度変化をそれぞれＬＵＴ２１０と２１１に振り分けて、ＬＵＴ２１０，２１１により検出した輝度変化に対してそれぞれ第２のサブテーブル１３Ａ−２〜１３Ｄ−２と１３Ａ−３〜１３Ｄ−３を用いることで似通った検出範囲にある２種類の輝度変化に対して個別に対応することができる。
【００９６】
シーケンス制御回路１４は、輝度変化検出時、すなわち輝度変化検出回路１２から出力された制御信号ＣＴＬが第２のサブテーブル１３Ａ−２〜１３Ｄ−２又は１３Ａ−３〜１３Ｄ−３を指定しているときは、２フィールドで一巡する図１４（ａ）、図１４（ｂ）のような制御パターン群を生成する。図１４（ａ），図１４（ｂ）において、ｋは任意の自然数である。
【００９７】
図１４の例では、水平方向、垂直方向共に隣接する指定情報が異なるように４つの指定情報Ａ，Ｂ，Ｃ，Ｄを交互に並べて配置したものを制御パターン群としている。前述のとおり、指定情報Ａ，Ｄは、互いに斜め方向に隣接するように配置され、かつ１フィールド毎に互いに入れ替わるように配置される。同様に、指定情報Ｂ，Ｃは、互いに斜め方向に隣接するように配置され、かつ１フィールド毎に互いに入れ替わるように配置される。なお、図１４（ａ）、図１４（ｂ）のように制御パターンを２フィールドで巡回させる理由は、第２のサブテーブル１３Ａ−２〜１３Ｄ−２又は１３Ａ−３〜１３Ｄ−３を４フィールド巡回で用いると、フリッカが発生するためである。
【００９８】
こうして、本実施の形態では、ＬＵＴ１３Ａ〜１３Ｄに第２のサブテーブル１３Ａ−２〜１３Ｄ−２，１３Ａ−３〜１３Ｄ−３を設け、輝度変化検出回路１２により所定の輝度変化が検出された画素（セル）の発光重心の移動方向をフィールド毎に反転させることにより、輝度変化を拡散させることができ、この輝度変化部で発生する動画疑似輪郭を視覚上相殺し、低減することができる。その結果、第１のサブテーブル１３Ａ−１〜１３Ｄ−１のみによるサブフィールドの選択では対応できない輝度変化に対しても、動画疑似輪郭を抑制することができる。
【００９９】
［第２の実施の形態］
次に、本発明の第２の実施の形態について説明する。第１の実施の形態では、Ｒ（赤），Ｇ（緑），Ｂ（青）の入力画像データの全てに対して同一の制御パターンを用いるようにしていたが、Ｒ，Ｂ画像データとＧ画像データとで異なる制御パターンを用いるようにしてもよい。
【０１００】
図１５（ａ）〜図１５（ｄ）に、通常時にＧ画像データに対して使用される制御パターン群を示す。通常時にＲ，Ｂ画像データに対して使用される制御パターン群は図７（ａ）〜図７（ｄ）に示したとおりである。図１５に示したＧ画像データに対して使用される制御パターン群は、図７に示したＲ，Ｂ画像データに対して使用される制御パターン群を水平方向又は垂直方向に２画素シフトしたものである。このときのシフト量は数画素程度でよい。
【０１０１】
図１６（ａ）、図１６（ｂ）に、輝度変化検出時にＧ画像データに対して使用される制御パターン群を示す。輝度変化検出時にＲ，Ｂ画像データに対して使用される制御パターン群は図１４（ａ）、図１４（ｂ）に示したとおりである。図１６に示したＧ画像データに対して使用される制御パターン群は、図１４に示したＲ，Ｂ画像データに対して使用される制御パターン群を水平方向に１画素シフトしたものである。このときのシフト量は数画素程度でよい。また、Ｒ，Ｂ画像データに対して使用する制御パターン群を垂直方向に数画素シフトして、Ｇ画像データに対して使用する制御パターン群を生成するようにしてもよい。
【０１０２】
以上のように、本実施の形態では、入力画像のＲ，Ｂ画像データとＧ画像データとで異なる制御パターンを用いることにより、ディザ処理によるノイズを拡散させ、抑制することが可能である。
【産業上の利用可能性】
【０１０３】
本発明は、映像信号の１フィールド期間を相対輝度の異なる複数のサブフィールドに分割して、映像信号の画素の輝度に応じてサブフィールドを適宜組み合わせて発光させるプラズマディスプレイパネルに適用することができる。
【図面の簡単な説明】
【０１０４】
【図１】本発明の第１の実施の形態となるプラズマディスプレイ装置の構成を示すブロック図である。
【図２】本発明の第１の実施の形態におけるサブフィールドの配列構成を示す図である。
【図３】図１のプラズマディスプレイ装置における輝度変化検出回路の構成を示すブロック図である。
【図４】図３の輝度変化検出回路における輝度変化検出部の動作を説明するための図である。
【図５】図３の輝度変化検出回路における輝度変化検出部に備えられたルックアップテーブルの構成を示す図である。
【図６】制御パターンの１例を示す図である。
【図７】本発明の第１の実施の形態において通常時に使用される制御パターン群を示す図である。
【図８】本発明の第１の実施の形態におけるルックアップテーブルの第１のサブテーブルの設定内容を示す図である。
【図９】本発明の第１の実施の形態におけるルックアップテーブルの第１のサブテーブルの設定内容を示す図である。
【図１０】本発明の第１の実施の形態におけるルックアップテーブルの第２のサブテーブルの設定内容を示す図である。
【図１１】本発明の第１の実施の形態におけるルックアップテーブルの第２のサブテーブルの設定内容を示す図である。
【図１２】本発明の第１の実施の形態におけるルックアップテーブルの第２のサブテーブルの設定内容を示す図である。
【図１３】本発明の第１の実施の形態におけるルックアップテーブルの第２のサブテーブルの設定内容を示す図である。
【図１４】本発明の第１の実施の形態において輝度変化検出時に使用される制御パターン群を示す図である。
【図１５】本発明の第２の実施の形態において通常時にＧ画像データに対して使用される制御パターン群を示す図である。
【図１６】本発明の第２の実施の形態において輝度変化検出時にＧ画像データに対して使用される制御パターン群を示す図である。
【図１７】従来のプラズマディスプレイ装置の構成を示すブロック図である。
【図１８】従来のプラズマディスプレイ装置におけるサブフィールドの配列構成を示す図である。
【符号の説明】
【０１０５】
１…プラズマディスプレイパネル、２…レベル調整回路、３…Ａ／Ｄ変換回路、４…γ逆補正回路、７…出力処理回路、８…同期分離回路、９…タイミングパルス発生回路、１０…メモリ制御回路、１１…駆動タイミング発生回路、１２…輝度変化検出回路、１３Ａ〜１３Ｄ…ルックアップテーブル、１３Ａ−１〜１３Ａ−３、１３Ｂ−１〜１３Ｂ−３、１３Ｃ−１〜１３Ｃ−３、１３Ｄ−１〜１３Ｄ−３…サブテーブル、１４…シーケンス制御回路、２０…遅延部、２１…輝度変化検出部、２２…制御信号付加部、２３…ラインメモリ、２４…制御信号分離部。
【図１】
2005266224.tif 000003
【図２】
2005266224.tif 000004
【図３】
2005266224.tif 000005
【図４】
2005266224.tif 000006
【図５】
2005266224.tif 000007
【図６】
2005266224.tif 000008
【図７】
2005266224.tif 000009
【図８】
2005266224.tif 000010
【図９】
2005266224.tif 000011
【図１０】
2005266224.tif 000012
【図１１】
2005266224.tif 000013
【図１２】
2005266224.tif 000014
【図１３】
2005266224.tif 000015
【図１４】
2005266224.tif 000016
【図１５】
2005266224.tif 000017
【図１６】
2005266224.tif 000018
【図１７】
2005266224.tif 000019
【図１８】
2005266224.tif 000020